(57)【特許請求の範囲】
【請求項１】
所定間隔に設置された一対の構造物に取り付けられる防水扉構造体であって、
前記構造物の各々に、床面から垂直方向に水密状態に取り付けられた一対の取付部材と、
水密性を有する扉本体と、
前記扉本体及び前記取付部材の少なくとも一方に取り付けられ、前記扉本体が前記床面に近づくにつれて前記扉本体の前記取付部材への押圧力を増加させる押圧手段とを備え、
前記取付部材に対する、前記扉本体の左右方向への移動を阻止する阻止手段を更に備え、
前記阻止手段は、
前記扉本体の左右側面の上方部分の各々に螺合自在の一対の第１のボルトと、
前記取付部材の各々に取り付けられ、前記第１のボルトの各々の頭部に係合する係合部材とを含む、防水扉構造体。
【請求項２】
前記第１のボルトの前記頭部と前記係合部材との間に設置される第１のスペーサー及び前記係合部材と前記扉本体との間に設置される第２のスペーサーの少なくとも一方を更に備えた、請求項１記載の防水扉構造体。
【請求項３】
所定間隔に設置された一対の構造物に取り付けられる防水扉構造体であって、
前記構造物の各々に、床面から垂直方向に水密状態に取り付けられた一対の取付部材と、
水密性を有する扉本体と、
前記扉本体及び前記取付部材の少なくとも一方に取り付けられ、前記扉本体が前記床面に近づくにつれて前記扉本体の前記取付部材への押圧力を増加させる押圧手段とを備え、
前記扉本体の左右側面の上方部分の各々に螺合自在の一対の第２のボルトと、
前記取付部材の各々に取り付けられ、前記第２のボルトの各々を上下に挟むように固定された一対の水平部材と、
前記水平部材の各々の端部側を貫通するように脱着自在に取り付けられ、前記第２のボルトを囲うピンを更に備えた、防水扉構造体。
【請求項４】
前記取付部材の各々に固定され、設置時の前記扉本体の上端面の両側の少なくとも一部を覆う一対の平面部材と、
前記平面部材の各々に螺合し、その下端が前記扉本体の前記上端面に当接する一対の第３のボルトを更に備えた、請求項１から請求項３のいずれかに記載の防水扉構造体。
【請求項５】
前記押圧手段は、
前記扉本体の外面の両側に取り付けられた一対の係合体と、
前記取付部材の各々に取り付けられ、前記係合体の各々に係合する一対の被係合体とを含み、
前記扉本体の下降に伴い、前記係合体と前記被係合体との係合部分の水平合計厚さが増加する、請求項１から請求項４のいずれかに記載の防水扉構造体。
【発明の詳細な説明】
【技術分野】
【０００１】
この発明は防水扉構造体に関し、特に構造物等の入口からの浸水を防ぐために使用される防水扉構造体に関するものである。
【背景技術】
【０００２】
図１７は、特許文献１で開示された従来の簡易止水装置であって、（イ）は方立ての使用状態を示す斜視図で、（ロ）は止水板の斜視図で、（ハ）は要部の拡大側面図である。
【０００３】
図を参照して、簡易止水装置１００は、雨水等の氾濫水が家屋内等へ浸水することを防止するために用いられ、家屋等の出入り口Ｅに立設される一対の方立て１１０と、方立て１１０に当接するパッキン１０２が取り付けられた略方形形状を有する止水板１０１とから構成される。
【０００４】
簡易止水装置１００の一対の方立て１１０は、家屋等の出入り口Ｅに所定間隔をおいて地面から所定高さで設置され、アルミニウム合金製の角材からなり、止水板１０１のパッキン１０２と当接する当面１１１と、係止ピン１１４が設けられた側面１１２とを含んで構成される。尚、方立て１１０の外側は、ブロック塀１２５で封鎖されており、ここからは氾濫水は浸水しないように形成されている。
【０００５】
簡易止水装置１００の止水板１０１は、アルミニウムの薄板からなる表面材で形成され、方立て１１０の当面１１１と当接する部分に形成された一対のパッキン１０２と、側面に回動自在に設けられたラッチ手段としてのフック１０３とから構成される。
【０００６】
使用に際して、止水板１０１のパッキン１０２と方立て１１０の当面１１１とを当接状態となるように、簡易止水装置１００の止水板１０１を、方立て１１０に設置する。そして、止水板１０１のフック１０３を、方立て１１０の係止ピン１１４に係止させることで、止水板１０１と方立て１１０との当接状態が保持される。これにより、氾濫水が外部ＯＵＴから、家屋等の内部ＩＮへ浸水することを防ぐことができる。
【０００７】
図１８は、図１７で示した従来の簡易止水装置のラッチ手段の他の形態の使用状態を示す図であって、（イ）は摘付きボルトを示す断面図で、（ロ）はスライド楔を示す断面図で、（ハ）は回動楔を示す断面図である。
【０００８】
図１８の（イ）を参照して、止水板１０１を方立て１１０に、摘付きボルト１１５を介して取り付けられるようになっている。このように止水板１０１及び方立て１１０を形成することで、止水板１０１と方立て１１０との当接状態がより安定する。
【０００９】
図１８の（ロ）を参照して、止水板１０１が設置される路面に、所定幅の溝Ｍが一対の方立て１１０間に設けられている。止水板１０１を溝Ｍに設置した後に、スライド楔１１６を例えば足で圧入することで、止水板１０１の下端部を固定する。又、止水板１０１の上端部と方立て１１０の上端部との間に、門型ラッチ１１７を落とし込むことで、止水板１０１の上端部を方立て１１０に固定する。これによって、止水板１０１と方立て１１０との当接状態がより安定する。
【００１０】
図１８の（ハ）を参照して、図１８の（ロ）と同様に、所定幅の溝Ｎが設けられている。溝Ｎの内部には、回動自在な回動楔１１８が設置されている。止水板１０１を溝Ｎに設置した後に、回動楔１１８を矢印の方向に回転させることで、止水板１０１の下端部を方立て１１０に固定する。これによって、止水板１０１と方立て１１０との当接状態がより安定する。
【先行技術文献】
【特許文献】
【００１１】
【特許文献１】特開２００６−２１４１７８号公報
【発明の概要】
【発明が解決しようとする課題】
【００１２】
上記のような従来の簡易止水装置１００は、図１７の（ハ）で示した状態となるように、止水板１０１を方立て１１０に水密に設置する必要がある。その際、止水板１０１のパッキン１０２を方立て１１０の当面１１１に当接させて水密状態を維持しつつ、止水板１０１のフック１０３を方立て１１０の係止ピン１１４に係止させることは、簡単なものではなく、時間を要するものであった。又、止水板１０１のフック１０３が水圧による振動等によって方立て１１０の係止ピン１１４から外れる虞があり、信頼性に欠けるものであった。
【００１３】
更に、止水板１０１と方立て１１０との当接状態をより安定させるために、図１８で示したような形態がとられていたが、後述するような問題を抱えていた。
【００１４】
図１８の（イ）で示した摘付きボルト１１５を用いる際、摘付きボルト１１５を止水板１０１及び方立て１１０に係合させることに時間を要するものであった。
【００１５】
図１８の（ロ）で示したスライド楔１１６を圧入する際、スライド楔１１６を複数圧入する必要があると共に、安定状態となるように圧入するには、時間を要するものであった。
【００１６】
図１８の（ハ）で示した回動楔１１８は、まず止水板１０１を設置する際に、矢印の方向とは逆方向に回転させておく必要があった。そして、止水板１０１を設置した後に、矢印の方向に回転させる必要があり、使用状態にするのに時間を要するものであった。
【００１７】
この発明は、上記のような課題を解決するためになされたもので、迅速な設置が可能となり、押圧状態が安定すると共に、信頼性が向上する防水扉構造体を提供することを目的とする。
【課題を解決するための手段】
【００１８】
上記の目的を達成するために、請求項１記載の発明は、所定間隔に設置された一対の構造物に取り付けられる防水扉構造体であって、構造物の各々に、床面から垂直方向に水密状態に取り付けられた一対の取付部材と、水密性を有する扉本体と、扉本体及び取付部材の少なくとも一方に取り付けられ、扉本体が床面に近づくにつれて扉本体の取付部材への押圧力を増加させる押圧手段とを備え、取付部材に対する、扉本体の左右方向への移動を阻止する阻止手段を更に備え、阻止手段は、扉本体の左右側面の上方部分の各々に螺合自在の一対の第１のボルトと、取付部材の各々に取り付けられ、第１のボルトの各々の頭部に係合する係合部材とを含むものである。
【００１９】
このように構成すると、扉本体を降下させるだけで、取付部材への押圧力が増加する。又、取付部材に対する扉本体の接触状態が安定する。更に、扉本体の設置後に第１のボルトの締め付けが可能となる。
【００２６】
請求項２記載の発明は、請求項１記載の発明の構成において、第１のボルトの頭部と係合部材との間に設置される第１のスペーサー及び係合部材と扉本体との間に設置される第２のスペーサーの少なくとも一方を更に備えたものである。
【００２７】
このように構成すると、第１のボルトの締め付けに必要な動作が減少する。
【００２８】
請求項３記載の発明は、所定間隔に設置された一対の構造物に取り付けられる防水扉構造体であって、構造物の各々に、床面から垂直方向に水密状態に取り付けられた一対の取付部材と、水密性を有する扉本体と、扉本体及び取付部材の少なくとも一方に取り付けられ、扉本体が床面に近づくにつれて扉本体の取付部材への押圧力を増加させる押圧手段とを備え、扉本体の左右側面の上方部分の各々に螺合自在の一対の第２のボルトと、取付部材の各々に取り付けられ、第２のボルトの各々を上下に挟むように固定された一対の水平部材と、水平部材の各々の端部側を貫通するように脱着自在に取り付けられ、第２のボルトを囲うピンを更に備えたものである。
【００２９】
このように構成すると、扉本体を降下させるだけで、取付部材への押圧力が増加する。又、扉本体の厚さ方向への移動が阻止される。
【００３０】
請求項４記載の発明は、請求項１から請求項３のいずれかに記載の発明の構成において、取付部材の各々に固定され、設置時の扉本体の上端面の両側の少なくとも一部を覆う一対の平面部材と、平面部材の各々に螺合し、その下端が扉本体の上端面に当接する一対の第３のボルトを更に備えたものである。
【００３１】
このように構成すると、第３のボルトの螺合によって扉本体の床面への押圧力が増加する。
請求項５記載の発明は、請求項１から請求項４のいずれかに記載の発明の構成において、押圧手段は、扉本体の外面の両側に取り付けられた一対の係合体と、取付部材の各々に取り付けられ、係合体の各々に係合する一対の被係合体とを含み、扉本体の下降に伴い、係合体と被係合体との係合部分の水平合計厚さが増加するものである。
このように構成すると、扉本体の上下位置に応じて取付部材との距離が変化する。
【発明の効果】
【００３４】
以上説明したように、請求項１記載の発明は、扉本体を降下させるだけで、取付部材への押圧力が増加するため、迅速な設置が可能となる。又、取付部材に対する扉本体の接触状態が安定するため、信頼性が向上する。更に、扉本体の設置後に第１のボルトの締め付けが可能となるため、使用勝手が向上する。
【００３８】
請求項２記載の発明は、請求項１記載の発明の効果に加えて、第１のボルトの締め付けに必要な動作が減少するため、迅速な締め付け動作が可能となる。
【００３９】
請求項３記載の発明は、扉本体を降下させるだけで、取付部材への押圧力が増加するため、迅速な設置が可能となる。又、扉本体の厚さ方向への移動が阻止されるため、取付状態が安定する。
【００４０】
請求項４記載の発明は、請求項１から請求項３のいずれかに記載の発明の効果に加えて、第３のボルトの螺合によって扉本体の床面への押圧力が増加するため、床面に対する扉本体の接触状態が安定する。
請求項５記載の発明は、請求項１から請求項４のいずれかに記載の発明の効果に加えて、扉本体の上下位置に応じて取付部材との距離が変化するため、押圧状態が安定する。
【図面の簡単な説明】
【００４２】
【図１】この発明の第１の実施の形態による防水扉構造体を示す概略斜視図である。
【図２】図１で示した“Ｘ”部分の概略拡大平面図である。
【図３】図２で示したＩＩＩ−ＩＩＩラインから見た概略断面図である。
【図４】この発明の第２の実施の形態による防水扉構造体を示す概略断面図であって、図３に対応した図である。
【図５】この発明の第３の実施の形態による防水扉構造体を示す概略拡大平面図であって、図２に対応した図である。
【図６】この発明の第４の実施の形態による防水扉構造体を示す概略断面図であって、図３に対応した図である。
【図７】この発明の第５の実施の形態による防水扉構造体を示す概略拡大平面図であって、図２に対応した図である。
【図８】この発明の第６の実施の形態による防水扉構造体を示す概略拡大平面図であって、図２に対応した図である。
【図９】図８で示したＩＸ−ＩＸラインから見た概略断面図である。
【図１０】この発明の第７の実施の形態による防水扉構造体を示す概略拡大平面図であって、図２に対応した図である。
【図１１】図１０で示したＸＩ−ＸＩラインから見た概略断面図であって、図３に対応した図である。
【図１２】この発明の第８の実施の形態による防水扉構造体を示す概略断面図であって、図３に対応した図である。
【図１３】この発明の第９の実施の形態による防水扉構造体を示す概略斜視図であって、図１に対応した図である。
【図１４】図１３で示したＸＩＶ−ＸＩＶラインから見た概略断面図である。
【図１５】この発明の第１０の実施の形態による防水扉構造体を示す概略拡大平面図であって、図２に対応した図である。
【図１６】図１５で示したＸＶＩ−ＸＶＩラインから見た概略断面図である。
【図１７】特許文献１で開示された従来の簡易止水装置であって、（イ）は方立ての使用状態を示す斜視図で、（ロ）は止水板の斜視図で、（ハ）は要部の拡大側面図である。
【図１８】図１７で示した従来の簡易止水装置のラッチ手段の他の形態の使用状態を示す図であって、（イ）は摘付きボルトを示す断面図で、（ロ）はスライド楔を示す断面図で、（ハ）は回動楔を示す断面図である。
【発明を実施するための形態】
【００４３】
図１は、この発明の第１の実施の形態による防水扉構造体を示す概略斜視図であり、図２は、図１で示した“Ｘ”部分の概略拡大平面図であり、図３は、図２で示したＩＩＩ−ＩＩＩラインから見た概略断面図である。
【００４４】
これらの図を参照して、防水扉構造体１１は、所定間隔に設置された一対の構造物１ａ及び１ｂの各々に、床面２から垂直方向に水密状態に取り付けられた一対の取付部材３１ａ及び３１ｂと、例えばゴム素材等の表面材からなる水密性を有する扉本体６１とから構成される。尚、取付部材３１ａ及び３１ｂの各々は、アンカーボルト等の金属金具を用いて、構造物１ａ及び１ｂの各々に取り付けた後に、その周囲をシール材で水密状態にするものであっても良い。
【００４５】
防水扉構造体１１の取付部材３１ａは、構造物１ａに水密状態に取り付けられ、その内面の上方位置に係合部材４１ａが形成された側壁部３２ａと、構造物１ｂと反対側に位置する側壁部３２ａの端部に接続された側壁部３３ａと、側壁部３２ａと反対側に位置する側壁部３３ａの端部に接続され、平面視において側壁部３２ａと対向し、その内面の中央より少し下方位置に押圧手段２５である被係合体３８ａが形成された側壁部３４ａとから構成される。
【００４６】
防水扉構造体１１の取付部材３１ｂは、取付部材３１ａと同様にして構成され、構造物１ｂに取り付けられ、係合部材４１ｂが形成された側壁部３２ｂと、構造物１ａと反対側に位置する側壁部３２ｂの端部に接続された側壁部３３ｂと、押圧手段２５である被係合体３８ｂが形成された側壁部３４ｂとから構成される。
【００４７】
防水扉構造体１１の扉本体６１は、矩形形状を有しており、外面６２の両側に取り付けられた押圧手段２５である一対の係合体６８ａ及び６８ｂと、左側面６５及び右側面６６の上方部分の各々に螺合自在の阻止手段２８である一対の第１のボルト７１ａ及び７１ｂとから構成される。
【００４８】
取付に際して、防水扉構造体１１の取付方法は、まず所定間隔に設置された一対の構造物１ａ及び１ｂの各々に、一対の取付部材３１ａ及び３１ｂを床面２から垂直方向に水密状態に取り付ける工程から始まる。
【００４９】
次の工程では、図３を参照して、防水扉構造体１１の水密性を有する扉本体６１を、二点鎖線で示した上方位置から、実線の矢印で示した方向へ、取付部材３１ａに対して降下させる。
【００５０】
そうすると、後述する押圧手段２５の原理によって、扉本体６１が床面２に近づくにつれて、扉本体６１が取付部材３１ａの側壁部３２ａの内面に近づくように移動することになる。よって、扉本体６１を降下させるだけで、取付部材３１ａに対する押圧力が増加することになり、迅速な設置が可能となる。尚、扉本体６１は、取付部材３１ｂに対しても同様の効果を奏している。
【００５１】
次に、押圧手段２５の原理について説明する。
【００５２】
図３を参照して、防水扉構造体１１の取付部材３１ａの被係合体３８ａは、側面視において下方にいくにつれて厚さが増大するように傾斜部３９が形成されている。一方、防水扉構造体１１の扉本体６１の係合体６８ａは、側面視において下方にいくにつれて厚さが減少するように傾斜部６９が形成されている。
【００５３】
扉本体６１を降下させたとき、取付部材３１ａの被係合体３８ａの傾斜部３９は、扉本体６１の係合体６８ａの傾斜部６９に当接して係合する。被係合体３８ａの傾斜部３９と係合体６８ａの傾斜部６９とは、互いにその傾斜面が平行となるように形成されている。
【００５４】
ここで、取付部材３１ａの被係合体３８ａの傾斜部３９が位置する高さＨ１について考える。高さＨ１における取付部材３１ａの被係合体３８ａの水平方向の厚さを、Ｗ１とする。
【００５５】
取付部材３１ａの被係合体３８ａの傾斜部３９に、扉本体６１の係合体６８ａの傾斜部６９が当接して係合し始めるのは、高さＨ１においては係合体６８ａの下面の外方側の端部（傾斜部６９の下端）が被係合体３８ａの傾斜部３９に当接したときである。そのときの係合体６８ａの水平方向の厚さは、Ｗ２である。つまり、高さＨ１における係合し始めの係合体６８ａと被係合体３８ａとの水平合計厚さは、Ｗ１＋Ｗ２である。
【００５６】
その後に、扉本体６１を降下させて、図３で示した状態となったとき、高さＨ１における係合体６８ａの水平方向の厚さは、Ｗ３である。つまり、高さＨ１における図３で示した状態の係合体６８ａと被係合体３８ａとの水平合計厚さは、Ｗ１＋Ｗ３である。
【００５７】
扉本体６１の係合体６８ａの傾斜部６９は、側面視において下方にいくにつれて厚さが減少するように形成されているため、厚さＷ３は厚さＷ２よりも大きい。よって、水平合計厚さ（Ｗ１＋Ｗ３）は、水平合計厚さ（Ｗ１＋Ｗ２）よりも大きくなる。
【００５８】
これに加えて、取付部材３１ａの被係合体３８ａの傾斜部３９が、側面視において下方にいくにつれて厚さが増大するように形成されていることから、扉本体６１を下降させると、図３の破線の矢印の方向へ、扉本体６１が移動することになる。即ち、押圧手段２５としての係合体６８ａ及び被係合体３８ａによって、扉本体６１が床面２に近づくにつれて、扉本体６１の取付部材３１ａの側壁部３２ａへの押圧力を増加させている。尚、取付部材３１ｂの被係合体３８ｂと扉本体６１の係合体６８ｂとの関係も、被係合体３８ａと係合体６８ａとの関係と同様である。
【００５９】
従って、扉本体６１の下降に伴い、係合体６８ａと被係合体３８ａとの所定高さにおける水平合計厚さが増加し、扉本体６１の上下位置に応じて扉本体６１と取付部材３１ａの側壁部３２ａとの距離が変化する。よって、扉本体６１に対して取付部材３１ａの側壁部３２ａへの押圧状態が安定することになる。
【００６０】
このように構成することで、扉本体６１を降下させるだけで、取付部材３１ａの側壁部３２ａへの押圧力が増加するため、防水扉構造体１１の迅速な設置が可能となる。
【００６１】
尚、取付部材３１ａの側壁部３２ａの内面には、止水材８０が取り付けられている。又、取付部材３１ａの内方側の床面２の上面には、止水材８１が取り付けられている。これにより、扉本体６１は、止水材８０を介して取付部材３１ａの側壁部３２ａに、止水材８１を介して床面２に、それぞれ水密状態に当接するので、浸水の虞がない。
【００６２】
次に、このように設置した扉本体６１の左右方向への移動の阻止について説明する。
【００６３】
上述のように扉本体６１を降下させたとき、扉本体６１の第１のボルト７１ａを、係合部材４１ａに形成された切欠き４２に係合させる。そして、図２で示した二点鎖線の状態から、図示しないレンチ等を用いて、阻止手段２８である第１のボルト７１ａを締め付けて、第１のボルト７１ａの頭部７２ａを阻止手段２８である係合部材４１ａに係合させる。図１で示した第１のボルト７１ｂについても、第１のボルト７１ａと同様にして、第１のボルト７１ｂの頭部７２ｂを係合部材４１ｂに係合させる。即ち、阻止手段２８としての第１のボルト７１ａ及び７１ｂ及び係合部材４１ａ及び４１ｂによって、取付部材３１ａ及び３１ｂに対する、扉本体６１の左右方向への移動を阻止する。これにより、取付部材３１ａ及び３１ｂに対する扉本体６１の接触状態が安定するため、信頼性が向上する。又、扉本体６１の設置後に、建物の内方側から第１のボルト７１ａ及び７１ｂの締め付けが可能となるため、使用勝手が向上する。
【００６４】
ここで、取付部材３１ａ及び３１ｂには、回動軸４５を中心として回動自在な保持部材４４が形成されている。図３の二点鎖線の矢印で示した方向へ、保持部材４４を回動軸４５を中心にして回転させ、保持部材４４の先端を係止部材４６に係止させる。保持部材４４の先端は、掛止部材４６に一旦係止させると外れにくい構成となっている。これによって、扉本体６１の第１のボルト７１ａは、係合部材４１の切欠き４２と保持部材４４とによって周囲を囲われることになり、係合部材４１から外れにくくなると共に、扉本体６１自体の上部が傾斜しにくくなる。尚、係合部材４１ａの切欠き４２は、扉本体６１の第１のボルト７１ａを係合させたときに、簡単に外れない大きさや形状に形成しても良い。このように構成することで、保持手段４４が不要となる。
【００６５】
図４は、この発明の第２の実施の形態による防水扉構造体を示す概略断面図であって、図３に対応した図である。
【００６６】
尚、この第２の実施の形態による防水扉構造体１２は、図１で示した第１の実施の形態による防水扉構造体１１と基本的な構成は同一である。ここでは、その相違点を中心に説明する。
【００６７】
図を参照して、防水扉構造体１２の扉本体６１には、図１で示した係合体６８ａ及び６８ｂが形成されていない。一方、防水扉構造体１２の取付部材３１ａの側壁部３４ａには、その下方位置に側面視台形形状であり、側面視において下方にいくにつれて厚さが増大するような傾斜部３９を有する押圧手段２５である被係合体３８ａが形成されている。尚、図示しない取付部材３１ｂにも被係合体３８ｂが、被係合体３８ａと同様に形成され、同様の効果を奏する。
【００６８】
扉本体６１を降下させたとき、扉本体６１は、取付部材３１ａの被係合体３８ａの傾斜部３９に当接して係合し、扉本体６１が床面２に近づくにつれて扉本体６１の取付部材３１ａの側壁部３２ａへ移動し、その押圧力を増加させる。
【００６９】
防水扉構造体１２の扉本体６１には、左側面６５の下方部分に螺合自在の第１のボルト７１ｃが更に形成されている。尚、扉本体６１の図示しない右側面６６にも、同様に第１のボルトが形成され、同様の効果を奏する。
【００７０】
防水扉構造体１２の取付部材３１ａの側壁部３２には、内面の下方位置に係合部材４１ｃが更に形成されている。尚、図示しない取付部材３１ｂにも、同様に係合部材が形成され、同様の効果を奏する。
【００７１】
これによって、防水扉構造体１２の扉本体６１の第１のボルト７１ｃと、取付部材３１ａの係合部材４１ｃとが、第１のボルト７１ａと係合部材４１ａと同様にして係合する。よって、取付部材３１ａに対する扉本体６１の下方部分における接触状態が安定する。尚、第１のボルト７１ｃの締め付けに際しては、取付部材３１ａの側壁部３３ａの下方に開口を設けることで、図示しないレンチ等で締め付け易くなる。
【００７２】
図５は、この発明の第３の実施の形態による防水扉構造体を示す概略拡大平面図であって、図２に対応した図である。
【００７３】
尚、この第３の実施の形態による防水扉構造体１３は、図１で示した第１の実施の形態による防水扉構造体１１と基本的な構成は同一である。ここでは、その相違点を中心に説明する。
【００７４】
図５の（１）を参照して、防水扉構造体１３の第１のボルト７１ａにおいて、係合部材４１ａと扉本体６１との間に、左右に移動可能な例えばナットのような第２のスペーサー５０があらかじめ設置されている。
【００７５】
この状態から、第１のボルト７１ａを締め付けると、扉本体６１は実線の矢印の方向に移動することになる。
【００７６】
図５の（２）を参照して、第１のボルト７１ａの頭部７２ａが、係合部材４１ａに係合した状態である。このとき、第２のスペーサー５０の左方端部は係合部材４１ａに係合し、第２スペーサー５０の右方端部は扉本体６１の左側面６５と係合する。即ち、第２のスペーサー５０によって、扉本体６１が係合部材４１ａに第２のスペーサー５０の間隔分だけあけて、適切な位置で設置されている。従って、扉本体６１の左右の位置決めが容易となると共に、第１のボルト７１ａの締め付けに必要な動作が減少することになり、迅速な締め付け動作が可能となる。
【００７７】
図６は、この発明の第４の実施の形態による防水扉構造体を示す概略断面図であって、図３に対応した図である。
【００７８】
尚、この第４の実施の形態による防水扉構造体１４は、図５で示した第３の実施の形態による防水扉構造体１３と基本的な構成は同一である。ここでは、その相違点を中心に説明する。
【００７９】
図を参照して、防水扉構造体１４の第１のボルト７１ａにおいて、図５で示したナットから、側面視略Ｃの字形状を有する脱着自在な第２のスペーサー５０に置き換えたものである。このように構成することにより、扉本体６１を設置後に、所望の間隔を有する第２のスペーサー５０を二点鎖線で示したように上方位置から取り付けることができるので、使用勝手が向上する。
【００８０】
図７は、この発明の第５の実施の形態による防水扉構造体を示す概略拡大平面図であって、図２に対応した図である。
【００８１】
尚、この第５の実施の形態による防水扉構造体１５は、図５で示した第３の実施の形態による防水扉構造体１３と基本的な構成は同一である。ここでは、その相違点を中心に説明する。
【００８２】
図７の（１）を参照して、防水扉構造体１５の第１のボルト７１ａにおいて、第１のボルト７１ａの頭部７２ａと係合部材４１ａとの間に第１のスペーサー４７が更に設置されている。
【００８３】
この状態から、第１のボルト７１ａを締め付けると、扉本体６１は実線の矢印の方向に移動することになる。
【００８４】
図７の（２）を参照して、第１のボルト７１ａの頭部７２ａが、第１のスペーサー４７に係合した状態にある。このとき、第１のスペーサー４７の右方端部は係合部材４１ａに係合している。又、第２のスペーサー５０の左方端部は係合部材４１ａに係合し、第２スペーサー５０の右方端部は扉本体６１の左側面６５と係合している。即ち、図５で示した状態よりも、第１のボルト７１ａの締め付けに必要な動作が更に減少することになり、より一層迅速な締め付け動作が可能となる。
【００８５】
尚、第１のスペーサー４７及び第２のスペーサー５０は、例えばナットのようにあらかじめ第１のボルト７１ａに取り付けられていても良く、又は、脱着自在に形成されてあっても良い。又、第２のスペーサー５０はなく、第１のスペーサー４７だけが第１のボルト７１ａに取り付けられても良い。
【００８６】
図８は、この発明の第６の実施の形態による防水扉構造体を示す概略拡大平面図であって、図２に対応した図であり、図９は、図８で示したＩＸ−ＩＸラインから見た概略断面図である。
【００８７】
尚、この第６の実施の形態による防水扉構造体１６は、図７で示した第５の実施の形態による防水扉構造体１５と基本的な構成は同一である。ここでは、その相違点を中心に説明する。
【００８８】
図８及び図９の（１）を参照して、防水扉構造体１６のスペーサー５２は、第１のボルト７１ａの頭部７２ａと係合部材４１ａとの間に脱着自在な第１のスペーサー４７と、係合部材４１ａと扉本体６１との間に脱着自在な第２のスペーサー５０と、第１のスペーサー４７と第２のスペーサー５０とを連結する連結部５１とから構成される。
【００８９】
このように第１のスペーサー４７と第２のスペーサー５０とを一体的に形成することで、同時にスペーサーを設置できるので、設置作業が迅速化される。
【００９０】
第１のボルト７１ａを締め付けると、扉本体６１は図９の（１）で示した実線の矢印の方向に移動することになる。
【００９１】
図９の（２）を参照して、第１のボルト７１ａの頭部７２ａが、スペーサー５２の第１のスペーサー４７に係合した状態にある。このとき、スペーサー５２の第１のスペーサー４７の右方端部は係合部材４１ａに係合している。又、スペーサー５２の第２のスペーサー５０の右方端部は扉本体６１の左側面６５と係合する。従って、扉本体６１の左右の位置決めが迅速に可能となる。
【００９２】
図１０は、この発明の第７の実施の形態による防水扉構造体を示す概略拡大平面図であって、図２に対応した図であり、図１１は、図１０で示したＸＩ−ＸＩラインから見た概略断面図であって、図３に対応した図である。
【００９３】
尚、この第７の実施の形態による防水扉構造体１７は、図１で示した第１の実施の形態による防水扉構造体１１と基本的な構成は同一である。ここでは、その相違点を中心に説明する。
【００９４】
これらの図を参照して、防水扉構造体１７の取付部材３１ａにおいて、図１で示した係合部材４１ａ及び保持部材４４を、水平部材５３ａ及び５３ｂとピン５４に置き換えたものである。防水扉構造体１７において、頭部７６ａを有する第２のボルト７５ａは、図１で示した第１のボルト７１ａと同様に形成されている。
【００９５】
防水扉構造体１７は、取付部材３１ａに取り付けられ、第２のボルト７５ａを上下に挟むように固定された一対の水平部材５３ａ及び５３ｂと、水平部材５３ａ及び５３ｂの各々の端部側を貫通するように脱着自在に取り付けられ、水平部材５３ａ及び５３ｂとの間に設置された第２のボルト７５ａを囲うピン５４とから更に構成される。尚、第２のボルト７５ｂに関する取付部材３１ｂにおいても、取付部材３１ａと同様にして構成され、同様の効果を奏する。
【００９６】
第２のボルト７５ａを水平部材５３ａ及び５３ｂとの間に設置した後で、図１１で示したように上方からピン５４を水平部材５３ａ及び５３ｂに取り付ける。これによって、第２のボルト７５ａの周囲は、水平部材５３ａ及び５３ｂと、ピン５４と、取付部材３１ａの側壁部３２ａとによって囲まれる。よって、防水扉構造体１７において扉本体６１の厚さ方向への移動が阻止されることになるので、取付状態が安定する。
【００９７】
図１２は、この発明の第８の実施の形態による防水扉構造体を示す概略断面図であって、図３に対応した図である。
【００９８】
尚、この第８の実施の形態による防水扉構造体１８は、図４で示した第２の実施の形態による防水扉構造体１２と基本的な構成は同一である。ここでは、その相違点を中心に説明する。
【００９９】
図を参照して、防水扉構造体１８の扉本体６１には、図４で示した第１のボルト７１ａ〜７１ｃが形成されていない。又、取付部材３１ａには、図４で示した係合部材４１ａ〜４１ｃが形成されていない。
【０１００】
防水扉構造体１８における押圧手段２５である被係合体３８は、図４で示した傾斜部３９の下端から垂直下方へ床面２まで延びる垂直部４０が更に形成されている。
【０１０１】
これによって、扉本体６１が取付部材３１ａの側壁部３２ａに移動した後で、被係合体３８の垂直部４０があることで、扉本体６１の下方部分における厚さ方向への移動が阻止される。
【０１０２】
取付部材３１ａの側壁部３２ａの内面の上方位置には、回転軸８７と回転軸８７に回動自在に係合するＬの字形状を有する保持部材８６とが形成された保持体８５が取り付けられている。
【０１０３】
扉本体６１を取付部材３１ａに設置した後で、保持部材８６を破線の矢印で示した方向へ回動軸８７を中心として回転させる。そして、保持部材８６における取付部材３１ａの側壁部３２ａ側の側面８８を、扉本体６１の外面６２の上方部分に当接して係合させる。保持部材８６は図示しないロック機構が組み込まれており、扉本体６１の上方部分における厚さ方向への移動が阻止される。
【０１０４】
図１３は、この発明の第９の実施の形態による防水扉構造体を示す概略斜視図であって、図１に対応した図であり、図１４は、図１３で示したＸＩＶ−ＸＩＶラインから見た概略断面図である。
【０１０５】
尚、この第９の実施の形態による防水扉構造体１９は、図１で示した第１の実施の形態による防水扉構造体１１と基本的な構成は同一である。ここでは、その相違点を中心に説明する。
【０１０６】
これらの図を参照して、防水扉構造体１９の扉本体６１には、図１で示した第１のボルト７１ａ及び７１ｂが形成されていない。又、防水扉構造体１９の取付部材３１ａ及び３１ｂには、係合部材４１ａ及び４１ｂが形成されていない。
【０１０７】
防水扉構造体１９は、取付部材３１ａ及び３１ｂの各々に固定され、設置時の扉本体６１の上端面６４の両側の少なくとも一部を覆う一対の平面部材５６ａ及び５６ｂと、平面部材５６ａ及び５６ｂの各々に螺合し、その下端５９が扉本体６１の上端面６４に当接する一対の第３のボルト５８ａ及び５８ｂとから更に構成される。
【０１０８】
扉本体６１を上方から降下させて設置させた後で、第３のボルト５８ａ及び５８ｂを、平面部材５６ａ及び５６ｂに各々螺合させる。そして、第３のボルト５８ａ及び５８ｂの下端５９を、扉本体６１の上端面６４に当接させる。これによって、第３のボルト５８ａ及び５８ｂの螺合によって扉本体６１の床面２への押圧力と共に側壁部３２ａ及び３２ｂへの押圧力とが増加することになるため、床面２及び側壁部３２ａ及び３２ｂに対する扉本体６１の接触状態が安定する。
【０１０９】
図１５は、この発明の第１０の実施の形態による防水扉構造体を示す概略拡大平面図であって、図２に対応した図であり、図１６は、図１５で示したＸＶＩ−ＸＶＩラインから見た概略断面図である。
【０１１０】
尚、この第１０の実施の形態による防水扉構造体２０は、図１３で示した第９の実施の形態による防水扉構造体１９と基本的な構成は同一である。ここでは、その相違点を中心に説明する。
【０１１１】
これらの図を参照して、防水扉構造体２０において、図１３で示した第３のボルト５８ａ及び５８ｂを一対の第４のボルト１５１に置き換えたものである。防水扉構造体２０の第４のボルト１５１の頭部１５２が取付部材３１ａの側壁部３２ａに取り付けられた平面部材５６ａの上面に当接するように螺合させたとき、第４のボルト１５１の下端１５３は扉本体６１の上端面６４に当接しない長さに設定されている。尚、第４のボルト１５１に関する図示しない取付部材３１ｂにおいても、取付部材３１ａと同様にして構成され、同様の効果を奏する。
【０１１２】
扉本体６１の上端面６４には、一対の第４のボルト１５１の各々に係合し、断面視逆コの字形状を有し、上面１６２に外方側に切欠き１６３を有する一対の係合材１６１が更に形成されている。尚、係合材１６１は、第４のボルト１５１と係合する形状であれば、断面視逆コの字形状以外に形成されても良い。
【０１１３】
図１６を参照して、実線の矢印の方向へ扉本体６１を上方から降下させて設置させた後で、破線の矢印の方向へ第４のボルト１５１を平面部材５６ａに螺合させる。そして、第４のボルト１５１を、平面部材５６ａの上面１６２の切欠き１６３に係合させる。これによって、扉本体６１に接続された係合材１６１における内方側の一部は、切欠き１６３と係合する第４のボルト１５１によって、外方側への移動が阻止される。よって、防水扉構造体２０において扉本体６１の厚さ方向への移動が阻止されることになるので、取付状態が安定する。尚、係合材１６１は、扉本体６１の上端面６４において、平面視１８０度水平回転させて第４のボルト１５１と係合するように形成しても良い。このように構成したとき、第４のボルト１５１をあらかじめ平面部材５６ａに螺合させた後で、扉本体６１を設置することで、切欠き１６３によって、扉本体６１の位置決めがし易くなる。又、このとき、図１で示したような保持部材４４を係合材１６１に形成することで、第４のボルト１５１との係合状態を保持し易くなる。
【０１１４】
尚、上記の各実施の形態では、押圧手段は、特定形状及び特定の設置場所で構成されていたが、扉本体及び取付部材の少なくとも一方に取り付けられ、扉本体が床面に近づくにつれて扉本体の取付部材への押圧力を増加させるものであれば、それ以外の形状及び設置場所であっても良い。
【０１１５】
又、上記の各実施の形態では、扉本体は、特定の素材から形成されたものであったが、水密性を有するものであれば、それ以外の素材から形成されても良い。
【０１１６】
更に、上記の各実施の形態では、防水扉構造体は、止水材を有するものであったが、なくても良い。
【０１１７】
更に、上記の第１〜第７の実施の形態の各々では、阻止手段は、ボルトから形成されたものであったが、取付部材に対する、扉本体の左右方向への移動を阻止するものであれば、それ以外のものから形成されても良い。又は、阻止手段はなくても良い。
【０１１８】
更に、上記の各実施の形態では、扉本体は、特定形状を有するものであったが、それ以外の形状から形成されても良い。
【０１１９】
更に、上記の各実施の形態では、取付部材は、特定形状を有するものであったが、それ以外の形状から形成されても良い。
【符号の説明】
【０１２０】
１…構造物
２…床面
１１〜２０…防水扉構造体
２５…押圧手段
２８…阻止手段
３１…取付部材
３８…被係合体
４１…係合部材
４７…第１のスペーサー
５０…第２のスペーサー
５３…水平部材
５４…ピン
５６…平面部材
５８…第３のボルト
５９…下端
６１…扉本体
６２…外面
６４…上端面
６８…係合体
７１…第１のボルト
７２…頭部
７５…第２のボルト
尚、各図中同一符号は同一又は相当部分を示す。
【図１】
0006773308.tif 000002
【図２】
0006773308.tif 000003
【図３】
0006773308.tif 000004
【図４】
0006773308.tif 000005
【図５】
0006773308.tif 000006
【図６】
0006773308.tif 000007
【図７】
0006773308.tif 000008
【図８】
0006773308.tif 000009
【図９】
0006773308.tif 000010
【図１０】
0006773308.tif 000011
【図１１】
0006773308.tif 000012
【図１２】
0006773308.tif 000013
【図１３】
0006773308.tif 000014
【図１４】
0006773308.tif 000015
【図１５】
0006773308.tif 000016
【図１６】
0006773308.tif 000017
【図１７】
0006773308.tif 000018
【図１８】
0006773308.tif 000019